(57)【要約】【課題】地震の影響を受けて本来のあるべき状態から逸脱した状態にあるエレベータのロープを本来のあるべき状態に戻すための作業をより安全に行うことを可能にするロープ外し治具を提供すること。【解決手段】ロープ外し治具（１０）はエレベータの昇降路（１４）内に配置されたロープ（、１６ａ）が本来のあるべき状態から逸脱した状態にあるとき、ロープを本来のあるべき状態である元の状態に戻すために用いられる。ロープ外し治具は、細長い柄（２４）と、柄に取り付けられたフック（２６）とを備え、フックにおいてロープに引掛け可能である。【選択図】図１
2017206337.tif 000002
【特許請求の範囲】
【請求項１】
昇降路内に存在するロープ類又はコード類が本来のあるべき状態から逸脱した状態にあるとき、これを本来のあるべき状態に戻すために用いられるロープ外し治具であって、
長尺状に形成された柄と、
前記柄に取り付けられたフックとを備え、
前記フックを前記ロープ類又はコード類に引掛け可能に構成したことを特徴とするロープ外し治具。
【請求項２】
前記柄は角形の横断面形状を有する管からなることを特徴とする請求項１に記載のロープ外し治具。
【請求項３】
前記柄はアルミニウム製又はアルミニウム合金製であることを特徴とする請求項１又は２に記載のロープ外し治具。
【請求項４】
前記フックは湾曲した一端部と、前記一端部に連なる中間部と、前記中間部に連なる湾曲した他端部とを有し、
前記フックは前記中間部において前記柄に固定され、前記一端部又は前記他端部において前記ロープに引掛け可能であることを特徴とする請求項１〜３のいずれか１項に記載のロープ外し治具。
【請求項５】
前記フックは全体にＳ字形を呈することを特徴とする請求項４に記載のロープ外し治具。
【請求項６】
前記フックは円形の横断面形状を有することを特徴とする請求項１〜５のいずれか１項に記載のロープ外し治具。
【請求項７】
前記フックは丸みを帯びた自由端を有する、請求項１〜６のいずれか１項に記載のロープ外し治具。
【請求項８】
前記フックはアルミニウム製又はアルミニウム合金製であることを特徴とする請求項１〜７のいずれか１項に記載のロープ外し治具。
【発明の詳細な説明】
【技術分野】
【０００１】
本発明は、エレベータのロープ外し治具に関する。
【背景技術】
【０００２】
地震の発生によってエレベータが設置された建物に揺れが生じるとき、エレベータの昇降路内に配置された乗りかご及びカウンタウエイト間にあって緊張状態におかれている複数のロープに緩みや振れが生じ、このために１つ又はそれ以上のロープが本来のあるべき状態から逸脱した状態におかれることがある。具体的には、複数のロープの内の１つ又はそれ以上のロープが、昇降路内の機器や突起物、例えばカウンタウエイト用ガイドレールを昇降路の側壁に固定する複数のブラケットの一部に引掛かることがある。ブラケットへのロープの引掛かりはエレベータの稼働を阻害するため、ロープの引掛かりを解除し、これを元の状態に戻すための復旧作業が行われる。
【０００３】
復旧作業は、通常、作業員がエレベータの昇降路内に入り、ロープを機器や突起物から外すことにより行われる。しかし、特に、高層ビルに設置されたエレベータの昇降路は長大な長さを有し、昇降路内での復旧作業には多大の危険を伴う。このため、作業員は命綱を身に巻き付けての作業を強いられる。さらに、命綱の吊元を確保することにも困難を伴う。
【０００４】
従来、地震時におけるこのような事態の発生を防止すべく、エレベータのロープが昇降路内の機器や突起物に引掛かることを防止するための引掛かり防止装置が提案されている（特許文献１）。
【先行技術文献】
【特許文献】
【０００５】
【特許文献１】特開２０１１−２０１６３１号公報
【発明の概要】
【発明が解決しようとする課題】
【０００６】
しかし、従来、地震の発生時には、引掛かり防止装置が設けられているにも拘らず、エレベータのロープが昇降路内の機器や突起物に引掛かる、絡まる等のいわゆる想定外の事態が生じることがある。このような事態が生じた場合においても、同様に、作業員がエレベータの昇降路内に入って行う復旧作業が必要となる。
【０００７】
本発明は上記事情に鑑み、地震の影響を受けて本来のあるべき状態から逸脱した状態にあるエレベータのロープを本来のあるべき状態に戻すための作業をより安全に行うことを可能にするエレベータのロープ外し治具を提供することを目的とする。
【課題を解決するための手段】
【０００８】
上記目的を達成するための実施形態は、昇降路内に存在するロープ類又はコード類が本来のあるべき状態から逸脱した状態にあるとき、これを本来のあるべき状態に戻すために用いられるロープ外し治具であって、長尺状に形成された柄と、前記柄に取り付けられたフックとを備え、前記フックを前記ロープ類又はコード類に引掛け可能に構成したことを特徴とする。
【図面の簡単な説明】
【０００９】
【図１】一実施形態に係るロープ外し治具を示す斜視図。
【図２】一実施形態に係るロープ外し治具の使用態様の一例を示す斜視図。
【図３】一実施形態に係るロープ外し治具の使用態様の他の一例を示す部分斜視図。
【図４】一実施形態に係るロープ外し治具の操作上の流れを示すフローチャート。
【発明を実施するための形態】
【００１０】
図１には、本発明の一実施形態に係るロープ外し治具が示されている。ロープ外し治具１０は、図２に示すように、高層ビルのような建物１２に設置されたエレベータの昇降路１４内に配置された乗りかご及びカウンタウエイト（図示せず）間にあって緊張状態におかれている複数のロープ１６に異常が生じたときにこれを除去し、元に復するために使用される。
【００１１】
より詳細には、地震の発生により建物１２が揺れ、これに伴って複数のロープ１６に緩みや振れが生じ、これらのロープ１６のうちの１つ又はそれ以上のロープ１６ａが昇降路１４内の機器や突起物に引掛かった状態（本来のあるべき状態から逸脱した状態）に置かれたとき、ロープ１６ａを機器や突起物から引き離して元の状態（本来のあるべき状態）に戻すために使用される。図示の例において、ロープ１６ａは、前記カウンタウエイトのためのガイドレール１８を昇降路１４の側壁２０に固定する複数のブラケット２２からなる突起物に引掛かっている。
【００１２】
なお、本実施形態において、ロープ１６には主ロープ以外にもコンペンロープ（図示せず）等のロープ類及び動力線や伝送線を束ねたテールコード（図示せず）等のコード類を含むものとする。本実施形態の説明では、主ロープを例に説明する。
【００１３】
図１に示すように、ロープ外し治具１０は細長い（長尺状の）柄２４と、この柄２４に取り付けられたフック２６とを備え、フック２６をロープ１６ａに引掛け可能に構成される。柄２４及びフック２６は金属製、プラスチック製、木製等のものからなり、好ましくは、後述するアルミニウム製又はアルミニウム合金製のものからなる。また、フック２６は、ねじのような締結具（図示せず）を用いて、又は後述する溶接により、柄２４に取り付けられている。
【００１４】
図示の柄２４は、好ましくは、直線的に伸びるものからなる。但し、柄２４は、必要に応じて、その両端間に屈曲した部分を有するもの、湾曲して伸びるもの、波状に伸びるもの等で構成することが可能である。
【００１５】
また、図示のフック２６は、湾曲した一端部２６ａと、一端部２６ａに連なる中間部２６ｂと、中間部２６ｂに連なる湾曲した他端部２６ｃとを有する。より詳細には、フック２６は全体にＳ字形を呈し、その一端部２６ａ及び他端部２６ｃが円弧状を呈しまたその中間部２６ｂが直線的に伸びている。
【００１６】
フック２６は、柄２４の先端部２４ａの側面上に配置されかつその中間部２６ｂの一部分において溶接２７により固定されている。図示の例にあっては、フック２６の中間部２６ｂの一部分が柄２４の側面上を柄２４の軸線方向へ伸び、前記一部分を除く残りの部分が柄２４の先端から柄２４の軸線方向へ突出している。中間部２６ｂの前記残りの部分の先に一端部２６ａが位置する。また、他端部２６ｃは柄２４の前記側面上から柄２４の軸線に直交する方向へ伸びかつ突出している。フック２６の一端部２６ａ及び他端部２６ｃはそれぞれロープ１６ａに対する引掛け機能を担う。
【００１７】
このロープ外し治具１０の使用及び操作は、図２に示すように、ロープ１６ａが引掛かっているブラケット２２の位置に最も近い階床、図示の例ではブラケット２２の高さ位置より下方に位置する階床のエレベータ乗り場２８において行うことができる。ロープ外し治具１０の操作は、エレベータ乗り場２８のホールドア（図示せず）を開け、これを維持する間に行う。ここにおいて、エレベータの復旧作業を担う作業員Ａは、エレベータ乗り場２８に開放された昇降路１４に臨み、ロープ外し治具１０の柄２４を両手で把持してその先端部２４ａのフック２６をロープ１６ａに向けて昇降路１４内に突き出し、さらにフック２６の他端部２６ｃをロープ１６ａに引掛ける。次に、柄２４を押し出してロープ１６ａに押圧力を及ぼし、ブラケット２２からロープ１６ａを外す。これにより、ロープ１６ａを他のロープ１６と平行な状態におくことができる。図示のロープ外し治具１０の使用上、図３に示すように、フック２６の一端部２６ａをロープ１６ａに引掛け、次いで柄２４を引き寄せてロープ１６ａに引張力を及ぼし、これにより、ブラケット２２からロープ１６ａを外すことができる。
【００１８】
ロープ外し治具１０の使用によるロープ１６ａの復旧作業に当たっては、例えば、図４に示すような流れに沿って行う。すなわち、前記ホールドアを開けてロープ１６が機器や突起物に絡まりあるいは引掛かっていないかどうかの確認を行う（Ｓ１）。絡まりや引掛かりを確認できないときは作業を行わない（Ｓ２）。絡まりや引掛かりが認められるときは、前記ホールドアを固定し復旧作業を開始する（Ｓ３）。復旧作業の開始に当たり、自分（作業員Ａ）の体勢の良し悪しを確認する（Ｓ４）。体勢が良くないことを確認したときは体勢を直して、これを固める（Ｓ５）。次に、ロープ外し治具１０の先端すなわちフック２６がロープ１６ａに届くか否かを確認する（Ｓ６）。届かないときは作業を中止し、これを上長に報告し別の方法（やり方）を検討し（Ｓ７）、届くときはロープ１６ａにロープ外し治具１０のフック２６を引掛けてロープ１６ａを機器や突起物から外す操作を行う（Ｓ８）。この操作によってロープ１６ａが外れているか否かを確認する（Ｓ９）。外れているときは作業を終了し、外れなかったときはフック２６の使い方を検討する（Ｓ１０）。
【００１９】
図示のロープ外し治具１０にあっては、柄２４が矩形の横断面形状を有する。これは、柄２４を円形の横断面形状を有するものとする場合に比べて、ロープ外し治具１０の操作時における作業員Ａの手に対する柄２４の軸線周りの回転をより少ないものとすることができる点で有利である。
【００２０】
前述したように、ロープ外し治具１０の操作は作業員Ａが柄２４を手に握って行うことから、このときのロープ外し治具１０の取り扱いを容易にするため、柄２４は中実の棒よりも軽量である中空の管からなるものとすることが望ましい。また、同様の観点から、柄２４は、鋼製よりもより軽量である例えばアルミニウムやジュラルミンのようなアルミニウム合金製であることが望ましい。
【００２１】
柄２４の長さは、その操作性及びエレベータの昇降路１４の横断面の大きさを考慮して３ｍ以上とすることができる。また、柄２４の太さは、握りやすさ及びロープ外し治具１０の操作性を考慮して、一辺の長さ（外寸）が２ｃｍの正方形の横断面形状を有するものとすることができる。
【００２２】
また、前述したように、ロープ１６ａの復旧作業に際してロープ１６ａに対してフック２６の一端部２６ａ又は他端部２６ｃが引掛けられる。このとき、フック２６はロープ１６ａの表面に接触する。フック２６の一端部２６ａ及び他端部２６ｃの湾曲した形状は、これらを角形に折れ曲がる形状とする場合と比べて、ロープ１６ａの表面への接触に伴う該表面の損傷を回避する上で有利である。このような観点から、フック２６の全体的な形状を前記Ｓ形とすることに代えて、例えばＣ形とすることが可能である。また、フック２６は、図示の例に代えて、その一端部２６ａとこれに連なる中間部２６ｂの一部分とからなるもの、又は、その他端部２６ｃと中間部２６ｂの一部分とからなるものとすることができる。
【００２３】
さらに、ロープ１６ａに対する損傷回避の観点から、フック２６は、これが矩形のような角形ではなく角のない例えば円形の横断面形状を有するものであることが望ましい。また、同様の観点から、さらに、フック２６の両先端すなわち一端部２６ａの自由端及び他端部２６ｃの自由端が角のない丸みを帯びた形状、例えば球面の形状を有するものであることが望ましい。
【００２４】
また、フック２６は、柄２４に対してその中間部２６ｂを柄２４の軸線方向に配置する図示の例に代えて、中間部２６ｂが柄２４の軸線に直交するように、あるいは、柄２４に対して斜めに交差するように配置することができる。フック２６は、また、柄２４の先端部２４ａに配置する図示の例に代えて、必要に応じて、柄２４の先端部２４ａ以外の箇所に配置することも可能である。
【００２５】
さらに、フック２６は、ロープ外し治具１０の取扱いをより容易なものとすべく、柄２４と同様、比較的重量が小さいアルミニウム又はアルミニウム合金で形成されたものとすることができる。
【００２６】
前記した本発明の実施形態は例として提示したものであり、発明の範囲を限定することを意図するものではない。本発明はその他の様々な形態で実施されることが可能であり、本発明の要旨を逸脱しない範囲で、種々の省略、置き換え、変更を伴うことができる。この実施形態及びその変形は発明の範囲や要旨に含まれるとともに、特許請求の範囲に記載された発明とその均等の範囲に含まれる。
【符号の説明】
【００２７】
１０…ロープ外し治具、１２…建物、１４…昇降路、１６、１６ａ…ロープ、１８…ガイドレール、２０…昇降路の側壁、２２…ブラケット、２４…ロープ外し治具の柄、２６…ロープ外し治具のフック、２６ａ、２６ｂ、２６ｃ…フックの一端部、中間部及び他端部、２８…エレベータ乗り場
【図１】
2017206337.tif 000003
【図２】
2017206337.tif 000004
【図３】
2017206337.tif 000005
【図４】
2017206337.tif 000006
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
昇降路内に存在するロープ類又はコード類が本来のあるべき状態から逸脱した状態にあるとき、これを本来のあるべき状態に戻すために用いられるロープ外し治具であって、
矩形の横断面形状を有する中空の管から長尺状に形成された柄と、
前記柄に取り付けられたフックとを備え、
前記フックは、
湾曲した一端部と、前記一端部に連なる中間部と、前記中間部に連なる湾曲した他端部とを有し、全体にＳ字形を呈するとともに、円形の横断面形状を有し、かつ、球面形状を持つ自由端を有し、
前記中間部において前記柄に固定され、前記一端部又は前記他端部において前記ロープ類又はコード類に引掛け可能であることを特徴とするロープ外し治具。
【請求項２】
前記柄及びフックはアルミニウム製又はアルミニウム合金製であることを特徴とする請求項１に記載のロープ外し治具。